(57)【特許請求の範囲】
【請求項１】
コンテナーの開口を有する固定壁部材と前記固定壁部材に対して二つの最終位置の間で前記固定壁部材に対して可動なとびら、はねぶた、または引き戸のような壁部材との間の漏れ止めであって、前記可動な壁部材は、前記最終位置の一つにおいて前記開口を解放し、もう一つの最終位置において前記開口を閉鎖し、前記両壁部材の一つには二つの並んで位置した同様な突出物状のパッキング成形品が付いており、前記パッキング成形品は前記可動な壁部材の閉鎖位置においてもう一つの壁部材と共に作用し、解放位置においては前記もう一つの壁部材から自由である漏れ止めであって、前記両パッキング成形品（５，６）は中空成形品であり、とびら及び容器壁の外側の面（９）の方に配置された外側のパッキング成形品（６）はとびらの正面（２）と開口周囲（８）の間の隙間（７）内においてやや楕円形におしつぶされたとき、面（９）を越えて外方に突き出すように構成されることを特徴とする漏れ止め。
【請求項２】
前記両パッキング成形品（５，６）が両壁部材の一つの面（２）に付いており、前記両中空成形品（５，６）は第２の部材（８）の前記第１の面に対して平行な面と共に作用することを特徴とする請求項１に記載の漏れ止め。
【請求項３】
前記両パッキング成形品（５，６）が面積が等しい横断面を有することを特徴とする請求項１又は２に記載の漏れ止め。
【請求項４】
前記両パッキング成形品（５，６）がほぼ円形の横断面を有することを特徴とする請求項１乃至３の何れか一項に記載の漏れ止め。
【請求項５】
両パッキング成形品（５，６）が可動な壁部材（１）に付けられていることを特徴とする請求項１乃至４の何れか一項に記載の漏れ止め。
【請求項６】
可動な壁部材（１）が軸線（１１）の回りを旋回可能なとびらであり、該とびらの正面（２）に両パッキング成形品（５，６）が付けられていることを特徴とする請求項１乃至５の何れか一項に記載の漏れ止め。
【発明の詳細な説明】
【０００１】
【産業上の利用分野】
本発明は、コンテナーの開口を有する固定壁部材と前記固定壁部材に対して二つの最終位置の間で前記固定壁部材に対して可動なとびら、はねぶた、または引き戸のような壁部材との間の漏れ止めであって、前記可動な壁部材は、前記最終位置の一つにおいて前記開口を解放し、もう一つの最終位置において前記開口を閉鎖し、前記両壁部材の一つには二つの並んで位置した同様な突出物状のパッキング成形品が付いており、前記パッキング成形品は前記可動な壁部材の閉鎖位置においてもう一つの壁部材と共に作用し、解放位置においては前記もう一つの壁部材から自由である漏れ止めに関する。
【０００２】
【従来の技術】
本発明は、DE 40 15 766 A1 において二つの異なる実施例において明らかにされているようなコンテナーのパッキングから出たものである。
コンテナーのとびら又は二枚とびらの一つのとびらに設けた溝に二つの並んで位置するロープ状のゴム成形品を保持する特別の技術に関して説明する。従来は前記溝に一つの、突出部状の基体とその長手方向の縁に沿って前記基体と一体に形成された二つのリップとを備える二つの成形品が並んで設けられており、両成形品のうちの一つは、それが成形みぞ（Profilkanal ）を含む限りにおいては中空成形品である。別の例において、両パッキング成形品の一つも同様に基体と二つのリップを備える。前記リップは基体の長手方向の縁に沿って基体と一体に形成されている。それに対しもう一つのパッキング成形品は、成形みぞを備える基体に横断面が円弧状の比較的薄い壁がつながるように形成された中空成形品であり、その薄壁は円弧状の壁によって環状にぐるりと閉鎖された中空部を包囲している。後者の例は、それがとびらの縁に直接に配置されなければならず、それと一体のとびらの枠の縁の上に食い込まねばならないので、それが基体及び該基体に付け足された二つのリップを有する開いた溝として形成され、それ故本質的に有効な中空成形品としては形成され得ないという考えから出たものである。
【０００３】
しかしながら、従来の漏れ止めには、成形溝が存在するが故にとびらととびら枠の間に汚れが堆積する欠点がある。
【０００４】
【発明が解決しようとする課題】
本発明が解決しようとする課題は、一方のとびらに二つの並んで位置する同様な突出部状パッキング成形品を備える、とびらの閉鎖位置においてとびら枠と共に密封作用をする、とびらととびら枠の間に汚れが堆積する溝が存在しない漏れ止めを提供することである。
【０００５】
【課題を解決するための手段】
本発明は上記の課題を解決するもので、コンテナーの開口を有する固定壁部材と前記固定壁部材に対して二つの最終位置の間で前記固定壁部材に対して可動なとびら、はねぶた、または引き戸のような壁部材との間の漏れ止めであって、前記可動な壁部材は、前記最終位置の一つにおいて前記開口を解放し、もう一つの最終位置において前記開口を閉鎖し、前記両壁部材の一つには二つの並んで位置した同様な突出物状のパッキング成形品が付いており、前記パッキング成形品は前記可動な壁部材の閉鎖位置においてもう一つの壁部材と共に作用し、解放位置においては前記もう一つの壁部材から自由である漏れ止めであって、前記両パッキング成形品（５，６）は中空成形品であり、とびら及び容器壁の外側の面（９）の方に配置された外側のパッキング成形品（６）はとびらの正面（２）と開口周囲（８）の間の隙間（７）内においてやや楕円形におしつぶされたとき、面（９）を越えて外方に突き出すように構成されることを特徴とする。
【０００６】
【作用】
本発明は、既知の解決策について想定された考えが本発明の考えについて本当に因果関係にあるとしても、それは想定されなかった考えに関わることであるという考えからでたものである。現在の技術水準において、内側及び外側のパッキング成形品と称されるパッキング成形品が二つ共同様に中空成形品として形成されているとき、本質的に改良された密封機能を果たす一方、現在の技術水準におけるように二つのパッキングは一つのとびらの正面に付けられ、外側のパッキング成形品としての機能を果たすパッキングがとびらの正面ととびらの外側の間のかどの近くに配置されるとき、とびらととびらの枠の間に汚れる傾向のある隙間のパッキングは多分殆ど生じることはないという考えから出たものである。このような配置のとき外側のパッキングはとびらを閉じるとき、その寸法及び配置の理由からとびらの外側と容器壁が位置する面が中断する（凹んだ溝を生ずる）ことは殆どない。とりわけ、外側のパッキング成形品が前記面の内側に位置して、とびら、壁及びパッキング突出部の間に汚物の堆積によって塞がれる溝を形成することは避けられる。
【０００７】
【実施例】
図１は本発明の漏れ止めを略図示し、コンテナーのとびらの部分水平断面図を示す。図にはとびらまたは二枚とびらが垂直軸線の回りを旋回可能にコンテナーに支承されている状態が図示されている。
【０００８】
図面において、参照番号１はとびらを示し、また参照番号２はその正面を示す。とびらの正面２に２つの下がくりぬかれた溝３，４がある。両溝の夫々には、突出部状の（leistenfoermiges）パッキング成形品５乃至６及びその足部５ａ乃至６ａが保持されている。各パッキング成形品５乃至６の足部５ａ乃至６ａに円弧状の比較的薄い壁５ｂ乃至６ｂが続いている。足部５ａ乃至６ａ及び前記壁５ｂ乃至６ｂの内側はぐるりと囲んで閉じられた、とびら１の正面２の長さにわたってのびた中空部５ｃ乃至６ｃを囲んでいる。
【０００９】
外側のパッキング成形品６はとびらの正面２と開口周囲８の間の隙間７に対して相対的な寸法に形成され、またとびら及び容器壁の外側が位置する面９の方へ配置され、この面９が隙間７の領域において殆ど中断されず、やや楕円形におしつぶされたパッキング成形品がせいぜいのところ面９を越えていくらか外方に突き出すように構成されている。
【００１０】
両成形品は本質的に同じ横断面を有し、面積が等しい。両成形品はとびらの正面２に付けられており、平行な対向面１０と共に作用する。自由な状態においては中空部５ｃ，６ｃの外側輪郭は本質的にほぼ円形である。とびらが閉じられるとき、中空成形品は圧縮後はその外側輪郭はほぼ楕円形である。とびらまたはとびら面の旋回軸線は参照番号１１で示す。基本的に両パッキング成形品５，６共開口周囲８に保持され、とびらの正面２と共に作用するように構成することもできる。
【００１１】
両成形品の中空部５ｃ，６ｃは端部において解放しており、その中では周囲圧力が支配している。しかし中空部はその端部において閉じることができる。そのとき適当に保持された内部圧として周囲圧力が中空部に保持される。
【００１２】
【発明の効果】
以上詳細に説明したように本発明の漏れ止めはコンテナーの開口を有する固定壁部材と前記固定壁部材に対して二つの最終位置の間で前記固定壁部材に対して可動なとびら、はねぶた、または引き戸のような壁部材との間の漏れ止めであって、前記可動な壁部材は、前記最終位置の一つにおいて前記開口を解放し、もう一つの最終位置において前記開口を閉鎖し、前記両壁部材の一つには二つの並んで位置した同様な突出物状のパッキング成形品が付いており、前記パッキング成形品は前記可動な壁部材の閉鎖位置においてもう一つの壁部材と共に作用し、解放位置においては前記もう一つの壁部材から自由である漏れ止めであって、前記両パッキング成形品５，６は中空成形品であることを特徴とするもので、とびら及び容器壁の外側の面９の方に配置された外側のパッキング成形品６はとびらの正面２と開口周囲８の間の隙間７内においてやや楕円形におしつぶされたとき、面９を越えて外方に突き出すように構成されている。そのため、とびら、壁及びパッキング突出部の間に汚物が堆積する溝が存在しないので衛生的である。
【図面の簡単な説明】
【図１】本発明の漏れ止めを含むコンテナー部分の水平断面図である。
【符号の説明】
１  とびら
２  とびらの正面
３，４  溝
５，６  パッキング成形品
７  隙間
８  開口周囲
９  面
１０  対向面
１１  旋回軸線
５ａ，６ａ  パッキング成形品の足部
５ｂ，６ｂ  薄い壁
５ｃ，６ｃ  中空部
【図１】
0003546072.tif 000002